(57)【要約】【課題】視認性がよく、さまざまな色に着色されたシャボン玉を形成することが可能なシャボン玉溶液を提供する。【解決手段】本発明のシャボン玉溶液１は、顔料４を含む。その顔料の最大粒径は、１μｍ以下であり、顔料分散剤に含有されていることを特徴とする。このようなシャボン玉溶液とすることにより、顔料４は水その他の溶液に溶けない微粉末であるため、視認性がよく、さまざまな色に着色されたシャボン玉を形成することができる。また、顔料４は、いろいろな色とすることができるので、所望の色にすることができる。【選択図】  図１
2005028038.tif 000002
【特許請求の範囲】
【請求項１】
顔料を含むことを特徴とするシャボン玉溶液。
【請求項２】
前記顔料の最大粒径は、１μｍ以下であることを特徴とする請求項１記載のシャボン玉溶液。
【請求項３】
前記顔料は、顔料分散剤に含有されていることを特徴とする請求項１または２記載のシャボン玉溶液。
【発明の詳細な説明】
【技術分野】
【０００１】
本発明は、さまざまな色に着色されたシャボン玉を形成することが可能なシャボン玉溶液に関する。
【背景技術】
【０００２】
シャボン玉は、子供の遊びや、イベントなどの演出として広く親しまれている。シャボン玉の色は、可視光線がシャボン玉を形成する界面活性剤の薄膜の表からの反射光と裏からの反射光が干渉して虹色に見える。
【０００３】
シャボン玉は、シャボン玉吹き出し玩具などで膨らませて飛ばして浮遊させるが、その寿命は短い。シャボン玉は、ホコリやチリなどがシャボン玉の膜にぶつかって割れるか、水分が蒸発して割れるか、または重力によってシャボン玉の上部が薄くなって割れる。また、シャボン玉溶液に不純物が混ざっていると、水の分子と界面活性剤の分子の並びが不均衡となり、表面張力のバランスが崩れ、そこからシャボン玉に穴が開き、割れる。そのわずかな時間の間、表面が虹色をしたシャボン玉が浮遊して、見るものに幻想的な効果を与えている。
【０００４】
シャボン玉溶液は、水に、石鹸や界面活性剤と増粘剤などが添加されて作られているが、これらは無色透明であるため、光の干渉による虹色にしか見えなかった。そこで、シャボン玉をいろいろな色とすることで、新しい子供の遊び方が創造されたり、イベントなどで着色されたシャボン玉を飛ばし、より演出効果の高いものとなることが想像される。
【０００５】
このような着色されたシャボン玉を得るために、例えば、シャボン玉溶液に、染料を含ませることによりシャボン玉を着色し、このシャボン玉溶液を用いて膨らませることで、所望の色のシャボン玉としようとした場合、染料を含むシャボン玉溶液では、シャボン玉を形成する膜が薄いため、溶解性が高く透明性が高い染料では、光を透過させてしまい、シャボン玉の表面に染料の色を視認することが困難である。
【０００６】
また、他の方法としてシャボン玉を形成する際に、着色気体を封入して膨らませることで、色付きシャボン玉とすることが知られている（例えば、特許文献１参照）。
【０００７】
【特許文献１】特開平６−２９２９８６号公報（第１−２頁）
【発明の開示】
【発明が解決しようとする課題】
【０００８】
しかしながら、特許文献１に記載されたシャボン玉では、着色された気体がシャボン玉の中に封入されているので、シャボン玉を形成する薄膜の表面に光が干渉して虹色に見えるため、着色気体の色が見えにくくなる。
【０００９】
また、着色気体を保管したり、流通させたりするためには、着色気体を圧縮して貯留しても気体が漏れないような、気密性の高い密閉容器を必要とするので、コストの高いものとなってしまう。また、着色気体を用いて着色されたシャボン玉を形成しようとした場合、その密閉容器からストロー状の吹き出し口を設けたスプレー管のような、特別な装置が必要である。
【００１０】
また、気体は着色しにくい媒体であるため、その色数も限られたものとなるので、所望の色のシャボン玉を膨らませようとしようとしても、その色を用意できないということも考えられる。
【００１１】
そこで本発明が解決しようとする課題は、視認性がよく、さまざまな色に着色されたシャボン玉を形成することが可能なシャボン玉溶液を提供することを目的とする。
【課題を解決するための手段】
【００１２】
前記課題を解決するため、本発明のシャボン玉溶液は、顔料を含むことを特徴とするものである。
【００１３】
シャボン玉溶液に顔料を含ませることにより、さまざまな色に着色されたシャボン玉を形成することができる。また、シャボン玉溶液そのものが着色されるので、従来のシャボン玉溶液の保管に使用していた容器や、シャボン玉を膨らますシャボン玉吹き出し玩具などをそのまま使用することができる。
【００１４】
ここで「顔料」とは、色彩をもち、水その他の溶剤に溶けない微粉末のことをいい、色をもつ有機化合物で、水や有機溶媒に溶ける「染料」とは異なる。
【００１５】
顔料は、不溶解性の微粉末なので、溶解性が高く透明性が高い染料と異なり、シャボン玉を形成する薄膜に光を透かしても光を透過せずに、所望の色のシャボン玉と視認することができる。
【００１６】
顔料の最大粒径は、１μｍ以下が望ましい。顔料の粒子は、シャボン玉を形成する薄膜に対し不純物となるが、顔料の最大粒径が１μｍ以下では、水の表面張力と主剤である界面活性剤が緩和する力の均衡がとれ、シャボン玉に形成することができるが、顔料の最大粒径が１μｍより大きいとシャボン玉を形成した時に、シャボン玉溶液を構成する主剤である界面活性剤の分子の並びが不均衡となって割れてしまう。また、顔料の粒径は、製造が可能であれば、薄膜内を沈殿する速度をより遅くすることができるので、可能な限り小さくてもよい。
【００１７】
顔料を顔料分散剤に含有させるのが望ましい。顔料を顔料分散剤に含有させることで、シャボン玉溶液とした時に、顔料の粒子が均一に分散し、色ムラのないシャボン玉とすることができる。また、顔料分散剤で顔料が分散することにより、顔料が集まって塊となり、顔料の粒径が大きくなった場合と同様に、シャボン玉を形成する主剤である界面活性剤の分子の並びが不均衡となって割れてしまうことが防止できる。
【００１８】
顔料分散剤は、シャボン玉溶液の主剤をアニオン界面活性剤とする場合は、アニオン性顔料分散剤を使用する方が、親和性が高く分離しにくいため望ましい。
【発明の効果】
【００１９】
本発明のシャボン玉溶液は、水その他の溶剤に溶けない微粉末であるため、視認性がよく、さまざまな色に着色されたシャボン玉を形成することができる。
また、顔料は、いろいろな色とすることができるので、シャボン玉を所望の色とすることができる。
また、シャボン玉溶液を着色するので、シャボン玉溶液を貯留する容器は、気密性を高くする必要がない。よって、容器を、容易に調達でき低コストとすることができる。
また、シャボン玉溶液に含有される顔料の最大粒径を１μｍ以下とすることで、水と界面活性剤への影響を少なくすることができるので、シャボン玉が破裂するまでの時間を長くすることができ、所望の色のシャボン玉を楽しむことができる。よって、子供たちの新しい遊びとして使用されたり、結婚式やイベントなどの新しい演出効果を出すための手段として用いることができる。
【発明を実施するための最良の形態】
【００２０】
以下、本発明の実施の形態について図１に基づいて説明する。図１は本発明の実施の形態に係るシャボン玉溶液を説明する図である。
【００２１】
図１に示すように、シャボン玉溶液１は、容器２に貯留されており、シャボン玉吹き出し玩具３にて膨らませる。
【００２２】
シャボン玉溶液１は、水に、主剤としてアニオン界面活性剤と、増粘剤と、顔料分散剤に顔料４を混入させた水性加工顔料などを含んでいる。水性加工顔料は、顔料４を約１５体積％から約３０体積％程度含んでいる。シャボン玉溶液１に対し、水性加工顔料を約５体積％から約５０体積％程度とすることができる。
【００２３】
顔料４の粒子は、平均粒径０．２μｍ以下であり、最大粒径は１μｍ以下である。従来の顔料では、１〜３μｍ程度あり、シャボン玉を形成した場合に、シャボン玉の下部に沈殿してしまいすぐ割れてしまう。また、粒径が大きいため顔料分散剤に含ませても均一に分散せず、シャボン玉を形成した時に、界面活性剤の分子の並びが不均衡になり、顔料が集中した箇所から穴が開きシャボン玉が割れてしまう。
顔料分散剤は、アニオン性または非イオン性である。この顔料分散剤に顔料４を混入させることにより、微小粉末に形成された顔料４が分散し、均一な色合いを出すことができる。顔料４の色は、黄色、橙色、赤色、桃色、青色、緑色、紫色、茶色、黒色、白色などとすることができる。このような顔料分散剤に顔料を混入させた水溶性加工顔料として、例えば、御国色素株式会社製の「ハイミクロンＫカラー」（商標）が使用できる。
【００２４】
容器２は、ポリエチレンやポリプロピレンなどで形成されている。シャボン玉溶液１に含有される顔料および顔料分散剤は、ポリエチレンやポリプロピレンに対する溶解性がないため、容器２を従来のシャボン玉溶液を収容する容器に使用されているポリエチレン製が使用できる。なお、図１において、容器２は不透明であるが、便宜上、透視状態で図示している。
【００２５】
シャボン玉吹き出し玩具３は、ストロー状をしており、ＰＰ（ポリプロピレン）などで形成され、容器と同様に、従来のシャボン玉吹き出し玩具が使用できる。
【００２６】
以上のように構成された、本発明の実施の形態に係るシャボン玉溶液の使用状況を説明する。
【００２７】
まず、シャボン玉溶液１に含まれる顔料４が、容器２内で沈殿している場合は、容器２のフタを閉めた状態で、容器２を振って撹拌する。そして、容器２のフタを取る。
【００２８】
次に、シャボン玉吹き出し玩具３の先端部分を、容器２のシャボン玉溶液１に侵漬し、シャボン玉吹き出し玩具３を取り出す。次に、シャボン玉吹き出し玩具３の吹き込み口から息を吹き、シャボン玉５を膨らます。シャボン玉５は、アニオン界面活性剤に親和性の高いアニオン性顔料分散剤が溶け込み、顔料分散剤が顔料４を均一に分散させるので、シャボン玉５全体が顔料４の色となった球体として浮遊していく。
【００２９】
シャボン玉溶液１の使用が終われば容器２のフタを閉めて、容器２を保管する。保管場所は、可燃性がないため従来のシャボン玉溶液の保管場所へ収納することができる。
【００３０】
このように、本発明の実施の形態のシャボン玉溶液によれば、シャボン玉溶液に顔料を含むことで、シャボン玉を所望の色とすることができ、シャボン玉溶液を収容する容器も、溶解性がないシャボン玉溶液とすることで、従来のシャボン玉溶液を収容していた容器をそのまま使用することできる。
【実施例】
【００３１】
本発明の実施の形態のシャボン玉溶液を作製し、図１に示すような、ストロー状のシャボン玉吹き出し玩具３を使用し膨らませて飛ばした。
使用した顔料は、黄色、青色、および白色の３色を試験した。
【００３２】
環境は、天候、晴れ、気温２７℃、風速１．５ｍ／ｓの状態で、地上に試験者が立って、シャボン玉を飛ばした。
結果、１０ｍ以上割れずに浮遊し、シャボン玉の表面は、それぞれ、黄色、青色、および白色が均一に着色され、はっきりとその色の球体であることが視認できた。
【産業上の利用可能性】
【００３３】
本発明に係るシャボン玉溶液は、さまざまな色に着色されたシャボン玉を形成することが可能なシャボン玉溶液として有用である。
【図面の簡単な説明】
【００３４】
【図１】本発明の実施の形態に係るシャボン玉溶液を説明する図である。
【符号の説明】
【００３５】
１  シャボン玉溶液
２  容器
３  シャボン玉吹き出し玩具
４  顔料
５  シャボン玉
【図１】
2005028038.tif 000003